(57)【要約】【課題】コンロと壁面との間隔が比較的狭くても、十分な防熱作用を得ることができ、しかも、防熱板を壁面から取り外すことなくコンロの天板の取り外しや天板の側部の掃除が行なえる防熱板を提供する。【解決手段】コンロ２に隣接して起立する壁面３に取り付けられる防熱板１に、壁面３を所定の空隙を存して覆う主防熱部２９と、主防熱部２９の下縁に連設されて主防熱部２９より壁面に接近して下方に延びる副防熱部３０とを設ける。【選択図】図１
2004263933.tif 000002
【特許請求の範囲】
【請求項１】
コンロに隣接して起立する壁面に取り付けられる防熱板において、
前記壁面を所定の空隙を存して覆う主防熱部と、
該主防熱部の下縁に連設されて前記主防熱部より壁面に接近して下方に延びる副防熱部とを備えることを特徴とする防熱板。
【請求項２】
前記主防熱部は、コンロの天板から、該天板の取外し時の昇降動を可能とする所定距離を存した上方に位置して前記壁面を覆い、
前記副防熱部は、コンロの天板と壁面との間に下端が位置されることを特徴とする請求項１記載の防熱板。
【請求項３】
少なくとも前記主防熱部は、前記コンロ側に面する表板と、該表板の裏側に所定の空隙を存して重合された裏板とによって構成されていることを特徴とする請求項１又は２記載の防熱板。
【請求項４】
前記表板と裏板との間の空隙は前記主防熱部の上縁部において開放され、
該主防熱部と前記副防熱部との境界位置には、前記表板と裏板との間の空隙に空気を取り入れる通気口が形成されていることを特徴とする請求項３記載の防熱板。
【発明の詳細な説明】
【０００１】
【発明の属する技術分野】
本発明は、コンロに隣接する壁面に取り付けられる防熱板に関する。
【０００２】
【従来の技術】
従来、コンロに隣接する壁面へのコンロからの熱を遮断するために、該壁面に取り付けられる防熱板が知られている（例えば、特許文献１参照）。この種の防熱板は、コンロと壁面との距離が消防法に定める所定の距離（１５ｃｍ）に満たない場合に設けられる。そして、防熱板を設けた場合には、室温が３５℃のとき、コンロに隣接する壁面の温度が１００℃を超えないようにすることが求められている。
【０００３】
しかし、例えば、ビルトイン式コンロをコンロ用キャビネット等に収容して厨房に設置したとき、コンロ用キャビネットが比較的コンパクトである場合には、コンロ用キャビネットのワークトップ上に露出するコンロの天板と壁面との距離が極めて小となる。
【０００４】
そのため、図６に示すように、防熱板３２の下端が天板３３よりも上方に位置して配置されることになる。そしてこのような設置状態で、例えば矩形状の比較的大型の鉄板Ｔが調理具として使用されると、排熱が防熱板３２の下方に回り込んで壁面３５が加熱されるおそれがある。
【０００５】
また、図６に示すように、防熱板３２がコンロの天板３３の上部に張り出している場合には、図中仮想線示するように天板３３をワークトップ３４から上昇方向に取り外すことが困難となったり、天板の側部の掃除が困難となる。このため、メンテナンスや掃除等において天板３３を取り外す際には、それに先立って防熱板３２を壁面３５から取り外さなければならず、その作業が煩わしい不都合があった。
【０００６】
そこで、防熱板の厚みを小として、コンロの天板の上方への防熱板の張り出しをなくすことにより、排熱の壁面側への回り込みを防止し、また天板の取り外しや天板の側部の掃除が容易に行なえるようにすることが考えられる。
【０００７】
しかし、防熱板の厚みを小とすると熱伝達を阻止するための十分な防熱作用を得ることができず、コンロに隣接する壁面の温度が１００℃を超えてしまうおそれがある。
【０００８】
【特許文献１】
特許第３３４２１２０号公報
【０００９】
【発明が解決しようとする課題】
かかる不都合を解消して、本発明は、コンロと壁面との間隔が比較的狭くても、十分な防熱作用を得ることができ、しかも、防熱板を壁面から取り外すことなくコンロの天板の取り外しや天板の側部の掃除が行なえる防熱板を提供することを目的とする。
【００１０】
【課題を解決するための手段】
かかる目的を達成するために、本発明は、コンロに隣接して起立する壁面に取り付けられる防熱板において、前記壁面を所定の空隙を存して覆う主防熱部と、該主防熱部の下縁に連設されて前記主防熱部より壁面に接近して下方に延びる副防熱部とを備えることを特徴とする。
【００１１】
本発明によれば、前記主防熱部は、壁面との間に十分な空隙を形成することができるので、高い防熱作用を得ることができる。また、前記副防熱部により、主防熱部の下方においても十分な防熱作用を得ることができ、しかも、コンロからの排熱が壁面に当ることを確実に防止することができる。
【００１２】
本発明において、前記主防熱部は、コンロの天板から、該天板の取外し時の昇降動を可能とする所定距離を存した上方に位置して前記壁面を覆い、前記副防熱部は、コンロの天板と壁面との間に下端が位置されることが好ましい。
【００１３】
これにより、主防熱部が壁面からコンロ側に張り出していても、主防熱部に干渉させることなくコンロの天板を持ち上げて天板の取外しを行なうことができ、防熱板を取り外すことなくメンテナンスや掃除を容易に行なうことができる。
【００１４】
また、本発明において、少なくとも前記主防熱部は、前記コンロ側に面する表板と、該表板の裏側に所定の空隙を存して重合された裏板とによって構成されていることを特徴とする。
【００１５】
これにより、表板と裏板との間に空隙による空気層を設けて防熱効果を向上させることができる。
【００１６】
また、前記表板と裏板との間の空隙は前記主防熱部の上縁部において開放され、該主防熱部と前記副防熱部との境界位置には、前記表板と裏板との間の空隙に空気を取り入れる通気口が形成されていることを特徴とする。
【００１７】
前記通気口を設けることによって、表板と裏板との間の空気層に、通気口から主防熱部の上縁部に向かって気流が形成される。これにより、表板と裏板との間の熱を気流によって放出することができ、防熱効果を向上させることができる。
【００１８】
【発明の実施の形態】
本発明の一実施形態を図面に基づいて説明する。図１は本実施形態の防熱板の設置状態を示す説明図、図２は防熱板の表板側を示す説明図、図３は防熱板の裏板側を示す説明図、図４は本実施形態の防熱板の連結構造を示す説明的断面図、図５は要部の説明的断面図である。
【００１９】
本実施形態の防熱板１は、図１に示すように、コンロ２に隣接する壁面３に設けられるものである。コンロ２は所謂ビルトイン式コンロであって、コンロ本体２ａがコンロ用キャビネット４のワークトップ５の開口に吊持されている。コンロ２の天板６は、コンロ本体２ａの上面開口を覆うもので、ワークトップ５上に設置されている。該コンロ２は、手入れやメンテナンスを行なう際にワークトップ５から上方に天板６を持ち上げることで該天板６を取り外すことができるようになっている。
【００２０】
防熱板１は、図１に示すように、金属製（ステンレス等）の板材により形成された表板７と、同じく金属製（ステンレス等）の板材により形成された裏板８とを備えている。防熱板１の表板７は、図１及び図２に示すように、略矩形状の広面部９と、該広面部９の上縁部に連設されてコンロ２の上方に傾斜して張り出すフード部１０とを備えている。表板７の下縁には、壁面３に近接する方向に折り曲げられて傾斜する表板傾斜部１１を介して下方に延びる表板延出部１２が連設されている。また、表板傾斜部１２の所定の位置には、該表板７を貫通する通気自在の通気口１３が形成されている。
【００２１】
本実施形態においては、表板７は幅５５０ｍｍ、高さ５５０ｍｍの正方形で、高さ５５０ｍｍのうち表板延出部１２の高さが２５ｍｍ、表板傾斜部１１を１０ｍｍとした。
【００２２】
防熱板１の裏板８は、図１及び図３に示すように、略矩形状の広面部１４と、該広面部１４に設けられて壁面３に連結する第１連結部材１５とを備えている。広面部１４の下縁には、壁面３に近接する方向に折り曲げられて傾斜する裏板傾斜部１６を介して下方に延びる裏板延出部１７が連設されている。広面部１４は、前記広面部９に対応する位置に設けられており、裏板傾斜部１６及び裏板延出部１７は、前記表板傾斜部１１及び表板延出部１２に対応する位置に設けられている。
【００２３】
第１連結部材１５は、図３及び図４に示すように、略コ字形に形成された突出部１８に複数の掛止穴１９（図３参照）を備え、該突出部１８の両側に形成された張出部２０を介して広面部１４にネジ止めされている。第１連結部材１５の掛止穴１９は壁面３にねじ込まれた木ネジ２１（図４参照）の頭部を掛止して壁面３に連結される。
【００２４】
表板７と裏板８とは、図４に示すように、第２連結部材２２を介して互いに連結されている。即ち、第２連結部材２２は、略コ字形に形成された突出部２３に複数の第１ネジ穴２４が形成され、該突出部２３の両側に形成された張出部２５に複数の第２ネジ穴２６が形成されている。第２連結部材２２は、裏板８を介して第２ネジ穴２６に螺着されたネジ２７により裏板８に連結され、表板７を介して第１ネジ穴２４に螺着されたネジ２８により表板７に連結される。これにより、第２連結部材２２は、表板７と裏板８との間に突出部２３による空隙を形成し、且つ、表板７と裏板８とを連結している。これにより、表板７の広面部９と裏板８の広面部１４とによって本発明の主防熱部２９が形成され、表板延出部１２と裏板延出部１７とによって本発明の副防熱部３０が形成される。
【００２５】
以上のように形成された防熱板１は、図５に示すように、前記主防熱部２９において前記第２連結部材２２により表板７と裏板８とが十分な空隙を存して対向するので、高い防熱効果を得ることができる。しかも、前記表板傾斜部１１には通気口１３が形成されているので、表板７がコンロ２に熱せられても、表板７と裏板８との間の空気が円滑に流動して上端から抜け出し、防熱効果を向上させることができる。
【００２６】
なお、副放熱部３０においても、表板延出部１２と裏板延出部１７との間に、例えば一方から他方に突出する凸部を形成するなどして空隙を形成すると更に良い。
【００２７】
また、図５に示すように、前記副防熱部３０を天板６と壁面３との間に収納させることができ、しかも、副防熱部３０によって天板６の上方に形成された空間により図５中仮想線に示すように、防熱板１に干渉させることなく天板６を上方に取除くことができる。
【００２８】
また、本実施形態においてはビルトイン式コンロを採用して説明したが、防熱板１はビルトイン式コンロにおいてのみ適用されるものではなく、例えば卓上式コンロであっても適用できることは言うまでもない。
【図面の簡単な説明】
【図１】本発明の一実施形態の防熱板の設置状態を示す説明図。
【図２】本実施形態の防熱板の表板側を示す説明図。
【図３】本実施形態の防熱板の裏板側を示す説明図。
【図４】本実施形態の防熱板の連結構造を示す説明的断面図。
【図５】要部の説明的断面図。
【図６】従来の防熱板を示す説明図。
【符号の説明】
１…防熱板、２…コンロ、３…壁面、４…コンロ用キャビネット、５…ワークトップ、６…天板、７…表板、８…裏板、１３…通気口、２９…主防熱部、３０…副防熱部。
【図１】
2004263933.tif 000003
【図２】
2004263933.tif 000004
【図３】
2004263933.tif 000005
【図４】
2004263933.tif 000006
【図５】
2004263933.tif 000007
【図６】
2004263933.tif 000008